(57)【要約】【課題】嵌合および取外しが可能な第１成型部品および第２成型部品を有する携帯端末装置において、これらの嵌合および取り外しの荷重のばらつきを低減すること。【解決手段】この携帯端末装置は、互いに嵌合および取り外しが可能にされた第１成型部材（１０３）および第２成型部材（１１）と、第１成型部材と第２成型部材との嵌合方向をＸ方向として、第１成型部材のＸ方向に沿った面部に設けられ、Ｘ方向と垂直なＹ方向に延びる溝部（ｄ）と、第２成型部材における溝部に対応する箇所に設けられ、Ｙ方向に峰が延びる形状を有し、溝部に係合する係合爪（１６０）と、を具備し、溝部（ｄ）は、Ｙ方向の一端（ｄｅ）が塞がれ、Ｙ方向の他端（ｄｆ）が開放されている構成を採る。【選択図】図１９
2014068332.tif 000002
【特許請求の範囲】
【請求項１】
互いに嵌合および取り外しが可能にされた第１成型部材および第２成型部材と、
前記第１成型部材と前記第２成型部材との嵌合方向をＸ方向として、前記第１成型部材の前記Ｘ方向に沿った面部に設けられ、前記Ｘ方向と垂直なＹ方向に延びる溝部と、
前記第２成型部材における前記溝部に対応する箇所に設けられ、前記Ｙ方向に峰が延びる形状を有し、前記溝部に係合する係合爪と、
を具備し、
前記溝部は、前記Ｙ方向の一端が塞がれ、前記Ｙ方向の他端が開放されている、
携帯端末装置。
【請求項２】
前記係合爪は、前記Ｙ方向の前記一端の側の突出量が小さくなる勾配を有する、
請求項１記載の携帯端末装置。
【請求項３】
前記第１成型部材または前記第２成型部材には、取り外しの際に人の爪を引っ掛けることが可能な指掛け部が設けられ、
前記溝部の前記Ｙ方向の前記一端は、前記指掛け部から遠い側に配置され、
前記溝部の前記Ｙ方向の前記他端は、前記指掛け部に近い側に配置される、
請求項２記載の携帯端末装置。
【請求項４】
前記第１成型部材または前記第２成型部材には、互いに嵌合された際に嵌合部を止水するパッキンが設けられている、
請求項２記載の携帯端末装置。
【請求項５】
前記第１成型部材または前記第２成型部材には、取り外しの際に人の爪を引っ掛けることが可能な指掛け部が設けられ、
前記溝部および前記係合爪は、前記指掛け部の近傍に配置されている、
請求項２記載の携帯端末装置。
【請求項６】
前記第１成型部材は開口部を有する筐体であり、
前記第２成型部材は前記開口部を塞ぐ蓋である、
請求項２記載の携帯端末装置。
【請求項７】
前記Ｘ方向は、前記蓋の外面に略垂直な方向である、
請求項６記載の携帯端末装置。
【請求項８】
前記溝部は、前記第１成型部材に突出して形成された突出片に設けられている、
請求項２記載の携帯端末装置。
【請求項９】
蓋および脱落防止用のアームを有するカバー部材と、
前記蓋が嵌合される開口部および前記アームが通される挿抜穴を有する筐体と、
を具備し、
前記挿抜穴は、
溝の天部を溝カバーにより塞いで構成され、
前記溝カバーは、
前記アームの挿抜方向と交差する方向に沿って形成され前記溝の天部に配置される横リブと、
前記アームの挿抜方向に沿って形成され前記横リブと交差して前記溝の天部に配置される縦リブと、
を有する請求項２記載の携帯端末装置。
【請求項１０】
前記縦リブの高さは、前記横リブの高さ以上である、
請求項９記載の携帯端末装置。
【請求項１１】
前記アームの先端部には、抜け防止用に横に張り出したかえしが設けられ、
前記縦リブにおける前記挿抜穴の奥方の端には、前記挿抜穴の奥方へ進むに従って突出量が小さくなる勾配が設けられている、
請求項９記載の携帯端末装置。
【請求項１２】
前記蓋が前記開口部に嵌合された状態で、
前記アームと前記縦リブとの間にはクリアランスが設けられている、
請求項９記載の携帯端末装置。
【請求項１３】
前記筐体は、電池パックの収容部を有し、
前記挿抜穴は、前記筐体の長手方向のうち前記収容部を外れた箇所に設けられている、
請求項９記載の携帯端末装置。
【発明の詳細な説明】
【技術分野】
【０００１】
本発明は、携帯端末装置に関する。
【背景技術】
【０００２】
筐体の開口部に蓋が嵌合および取外し可能にされた構造を有する携帯端末装置がある。例えば、電池を挿入する電池収容口、および、これを塞ぐ電池蓋を備えた携帯端末装置などである（例えば、特許文献１を参照）。
【先行技術文献】
【特許文献】
【０００３】
【特許文献１】特許第４４６０６２２号公報
【発明の概要】
【発明が解決しようとする課題】
【０００４】
蓋を開ける際に必要な荷重は、適切な大きさであることが望まれる。例えば、何らかの衝撃で蓋が外れてしまうことがないように、荷重は小さすぎてはならない。また、ユーザまたはメンテナンス作業者が無理なく蓋を開けられるように、荷重は大きすぎてもよくない。
【０００５】
しかしながら、従来の携帯端末装置の開口部および蓋の構造は、何ら工夫をしないと、蓋を外す際の荷重が大きくばらついてしまうという課題があった。例えば、成型部品である蓋および筐体の公差によって、蓋を外すときの荷重が設計値より２〜３倍大きくなることがあった。このため、蓋と筐体との係合部に潤滑剤を塗布して荷重を低く抑えるなど、製造コストを高騰させる工程を追加する必要があった。
【０００６】
また、特に制限されるものではないが、近年では、開口部と蓋との間にパッキンを設けて、蓋を閉めたときに開口部の中を防水できる構造が採用されることがある。このような構造では、パッキンの反発力に対抗できるように、蓋と開口部との係合力が比較的大きく設計される。しかしながら、この構造で荷重ばらつきが大きいほうに現れると、手動で蓋を開けるのが困難になることも考えられた。
【０００７】
本発明の目的は、嵌合および取外しが可能な第１成型部品および第２成型部品を有する携帯端末装置において、これらの嵌合および取り外しの荷重のばらつきを低コストに低減することである。
【課題を解決するための手段】
【０００８】
本発明の一態様に係る携帯端末装置は、互いに嵌合および取り外しが可能にされた第１成型部材および第２成型部材と、前記第１成型部材と前記第２成型部材との嵌合方向をＸ方向として、前記第１成型部材の前記Ｘ方向に沿った面部に設けられ、前記Ｘ方向と垂直なＹ方向に延びる溝部と、前記第２成型部材における前記溝部に対応する箇所に設けられ、前記Ｙ方向に峰が延びる形状を有し、前記溝部に係合する係合爪と、を具備し、前記溝部は、前記Ｙ方向の一端が塞がれ、前記Ｙ方向の他端が開放されている構成を採る。
【発明の効果】
【０００９】
本発明の一態様に係る携帯端末装置によれば、第１成型部品および第２成型部品の嵌合および取り外しの荷重のばらつきを低コストに低減することができる。
【図面の簡単な説明】
【００１０】
【図１】本発明の実施の形態１の携帯端末装置におけるコネクタカバー周辺を分離させた分解斜視図
【図２】本実施の形態１の筐体の開口部の周辺を示す拡大斜視図
【図３】本実施の形態１のコネクタカバーを示す斜視図
【図４】本実施の形態１の外装カバーの裏側を示す斜視図
【図５】外装カバーの裏面に形成されたリブを示す拡大平面図
【図６】コネクタカバーのアームが挿抜穴に挿入された状態を示す平面図
【図７】図６のＡ−Ａ線断面図
【図８】図６のＢ−Ｂ線断面図
【図９】本実施の形態１の変形例のコネクタカバーのアームを示す（Ａ）平面図および（Ｂ）側面図
【図１０】本実施の形態１の変形例のコネクタカバーのアームが挿抜穴に挿入された状態を示す断面図
【図１１】本発明の実施の形態２の携帯端末装置における電池周辺部を分離させた分解斜視図
【図１２】本実施の形態２の電池蓋を内面側から見た斜視図
【図１３】係合爪の部分を示す拡大斜視図
【図１４】係合爪の部分を筐体の背面側から見た平面図
【図１５】係合爪の部分を係合爪の突出方向に沿って見た側面図
【図１６】係合片の部分を示す拡大斜視図
【図１７】係合片の部分を係合爪の突出方向に沿って見た側面図
【図１８】係合爪と係合片とが嵌合した部位を示す横断面図
【図１９】係合爪と係合片とが嵌合した部位を示す縦断面図
【図２０】本実施の形態２における係合片と係合爪との係合が解かれる際の動作を示す説明図
【図２１】比較例１として係合片の溝部の両端が塞がれた構成である場合の動作を示す説明図
【図２２】比較例２として係合片の溝部の両端が開放された構成である場合の動作を示す説明図
【発明を実施するための形態】
【００１１】
以下、本発明の各実施の形態について図面を参照して詳細に説明する。
【００１２】
（実施の形態１）
＜実施の形態１に関する背景および課題＞
以前より、カバー部材によって筐体の開口部に蓋ができる構造を有した携帯端末装置がある。ここで、筐体の開口部とは、例えば、データ入出力端子、イヤホンマイク端子、または、充電端子などの各コネクタ、或いは、メモリカートの挿入口などが露出される開口部のことである。
【００１３】
カバー部材には、開口部に嵌合する蓋と、脱落防止用のアームとが設けられる。この構成も一般的である（例えば特許文献２、３を参照）。この構成では、アームを筐体の穴に先端が抜けない状態で挿入され、筐体の開口部から蓋を外したときにアームを少し引き出して、蓋を開口部から大きく離すことができる。これにより、開口部のコネクタ又はカード挿入口を使用する際に、蓋が邪魔にならない。
【００１４】
特許文献２：特開２００６−１９７２２５号公報
特許文献３：特開２００９−１５２９０５号公報
【００１５】
本発明者らは、カバー部材のアームが通される挿抜穴を、溝（以下では、挿抜溝とも呼ぶ）と、この溝の天部を覆う溝カバーとから構成することを検討している。すなわち、溝と溝カバーとで囲まれた空間が挿抜穴となる。
【００１６】
特に制限されるものではないが、溝によりアームの挿抜穴を形成する構成は、筐体の内部空間を防水領域とし、挿抜穴を防水領域の外に設ける場合に有用となる。挿抜穴が防水領域外となることで、挿抜穴に防水構造を付加する必要がなくなる。一方、挿抜穴が筐体の内部空間に貫通しない構成では、入口より奥が広くなる挿抜穴を、樹脂の射出成型により形成することが困難である。しかし、溝と溝カバーとの二つの部品で挿抜穴を構成することで、入口より奥が広くなる構造の挿抜穴が形成容易となる。
【００１７】
しかしながら、溝および溝カバーで挿抜穴を構成した場合、筐体に外力が加わったときに、溝の箇所に応力が集中して、この箇所が座屈しやすいなど、溝の箇所の強度が低下するという課題が生じる。
【００１８】
また、挿抜穴の一壁面をなす溝カバーに突起等があると、カバー部材のアームが引っ掛かって、アームを挿抜穴に沿ってスムーズに出し入れ難くなるという課題が生じる。
【００１９】
本実施の形態１の目的は、溝および溝カバーにより構成される挿抜穴の強度を確保した上で、挿抜穴にカバー部材のアームをスムーズに出し入れ可能とする構造を有する携帯端末装置を提供することである。
【００２０】
＜実施の形態１の代表例＞
本実施の形態１に係る携帯端末装置は、蓋および脱落防止用のアームを有するカバー部材と、前記蓋が嵌合される開口部および前記アームが通される挿抜穴を有する筐体と、を具備し、前記挿抜穴は、溝の天部を溝カバーにより塞いで構成され、前記溝カバーは、前記アームの挿抜方向と交差する方向に沿って形成され前記溝の天部に配置される横リブと、前記アームの挿抜方向に沿って形成され前記横リブと交差して前記溝の天部に配置される縦リブと、を有する構成を採る。
【００２１】
この構成によれば、横リブにより、溝および溝カバーにより構成される挿抜穴の強度を確保できる。さらに、縦リブにより、挿抜穴にカバー部材のアームをスムーズに出し入れ可能にすることができる。
【００２２】
＜実施の形態１の構成＞
図１は、本発明の実施の形態１の携帯端末装置におけるコネクタカバー周辺を分離させた分解斜視図である。
【００２３】
本実施の形態１の携帯端末装置は、第１構成部２と、第２構成部３と、第１構成部２と第２構成部３とを回転可能に連結するヒンジ４とを備えた、折畳み型の携帯端末装置である。
【００２４】
第１構成部２には、例えば、表示部が搭載されている。第２構成部３には、例えば、複数の操作キーおよび電池パックが搭載されている。以下、第２構成部３について説明する。
【００２５】
第２構成部３は、筐体１１と、外装カバー１２と、コネクタカバー（カバー部材に相当）１３とを備えている。外装カバー１２の一部が溝カバーに相当する部位となる。
【００２６】
筐体１１は、内部に様々な電子部品および電池パックを収容するものである。内部の収容空間は防水領域となる。筐体１１は、開口部１０１、電池蓋１０３、外装カバー１２の装着部１０４、および、挿抜溝１０５を備えている。
【００２７】
電池蓋１０３は、電池パックの収容空間を覆う蓋である。筐体１１の長手方向の範囲Ｗの部分に電池パックが収容されている。
【００２８】
外装カバー１２の装着部１０４は、外装カバー１２が嵌合する凹状に形成されている。挿抜溝１０５は装着部１０４に設けられている。外装カバー１２と装着部１０４との間は非防水領域となる。
【００２９】
図２は、本実施の形態１の筐体の開口部の周辺を示す拡大斜視図である。
【００３０】
開口部１０１は、外部から入出力端子が接続されるコネクタを外部へ露出させる開口であり、筐体１１の内部の防水領域と通じている。
【００３１】
開口部１０１は、筐体１１の側面で、且つ、筐体１１の長手方向のうち電池パックがある範囲Ｗを外れた位置に設けられている。ここでは、筐体１１をほぼ直方体とみなした場合に、一番広い面を正面と背面、背面の長辺に接する面を側面、背面の短辺に接する面を上端面と下端面と定義している。
【００３２】
開口部１０１は、コネクタカバー１３が嵌り込む凹部１０８の中に設けられている。
【００３３】
挿抜溝１０５は、筐体１１の背面に沿って、筐体１１の長手方向と垂直な方向に延びている。挿抜溝１０５の一端は、筐体１１の側面に開通されて挿抜穴１０６の入口となり、挿抜溝１０５の他端は遮られている。挿抜溝１０５は、樹脂の射出成型により筐体１１と一体的に形成されている。
【００３４】
挿抜溝１０５は、コネクタカバー１３が嵌り込む凹部１０８の中に、挿抜溝１０５の一端（挿抜穴１０６の入口）が露出するように形成されている。
【００３５】
挿抜溝１０５の一端（挿抜穴１０６の入口）は、挿抜溝１０５の奥方よりも、幅が狭く形成されている。この構成により、コネクタカバー１３のアーム１３２の先端部１３２ａ（図３参照）が挿抜穴１０６の入口に引っ掛かって、コネクタカバー１３が脱落しない。
【００３６】
挿抜溝１０５は、筐体１１の長手方向のうち電池パックがある範囲Ｗを外れた位置に設けられている。
【００３７】
図３は、本実施の形態１のコネクタカバーを示す斜視図である。
【００３８】
コネクタカバー１３は、図３に示すように、外カバー１３０、蓋１３１、および、アーム１３２を備えている。コネクタカバー１３は、特に制限されないが、外カバー１３０および蓋１３１の部位が樹脂により構成され、アーム１３２の部位がエラストマーから構成されている。
【００３９】
外カバー１３０は、開口部１０１の周辺の凹部１０８に嵌り込んで携帯端末装置の外装の一部となる。
【００４０】
蓋１３１は、着脱自在に開口部１０１に嵌合して、開口部１０１を塞ぐ又は開放する。蓋１３１の周囲にはパッキンＰが組み付けられ、蓋１３１が開口部１０１に嵌合したときに、開口部１０１の内側を防水する。
【００４１】
アーム１３２は、蓋１３１を開口部１０１から外したときに、コネクタカバー１３が脱落するのを防止するためのものである。アーム１３２は、挿抜穴１０６から完全に抜けない状態で、挿抜穴１０６に抜き差し可能にされる。
【００４２】
アーム１３２は、棒状で直線状に長いピン型のものである。ピン型が採用されることで、コネクタカバー１３は、蓋１３１を開口部１０１から外したときに、アーム１３２を中心に蓋１３１を回転移動させることができる。アーム１３２の先端には、段状に径が大きくされた先端部１３２ａが設けられている。先端部１３２ａの径が大きくなった部位が、横に張り出したかえしとなって、挿抜穴１０６の入口に引っ掛かるようになっている。
【００４３】
図４は、本実施の形態１の外装カバーの裏側を示す斜視図である。図５は、外装カバーの裏面に形成されたリブを示す拡大平面図である。
【００４４】
外装カバー１２は、筐体１１の装着部１０４の外側を覆って携帯端末装置の外装の一部となる。外装カバー１２は、例えば樹脂により構成される。外装カバー１２の周縁には、筐体１１の装着部１０４に係合する係合部１２１および係止爪１２２が設けられている。
【００４５】
外装カバー１２の一部分は、筐体１１の挿抜溝１０５の天部を覆う構成となる。そして、挿抜溝１０５および外装カバー１２とで囲まれた空間が、コネクタカバー１３のアーム１３２が挿抜される挿抜穴１０６となる。
【００４６】
外装カバー１２の挿抜溝１０５の天部を覆う部位には、横リブ１２３と縦リブ１２４とが設けられている（図５参照）。
【００４７】
［横リブおよび縦リブの構造］
図６は、コネクタカバーのアームが挿抜穴に挿入された状態を示す平面図である。図６において、外装カバー１２の横リブ１２３および縦リブ１２４は、２点鎖線で示している。図７は、図６のＡ−Ａ線断面図、図８は、図６のＢ−Ｂ線断面図である。
【００４８】
横リブ１２３は、図６および図７に示すように、挿抜溝１０５の天部に入り込み、挿抜溝１０５の天部に横たわるように配置される。横リブ１２３は、挿抜溝１０５に沿った方向と直交する向きに形成されている。横リブ１２３は、挿抜溝１０５に添った方向に間隔を開けて複数設けられている。横リブ１２３は１つでも良い。
【００４９】
この構成により、筐体１１に挿抜溝１０５が押しつぶされる方向の外力が加わったときに、横リブ１２３が、挿抜溝１０５に挟まれて、挿抜溝１０５の内壁面を支える。よって、挿抜溝１０５は、横リブ１２３によって補強される。
【００５０】
なお、横リブ１２３は、図７に示すように、挿抜溝１０５の内壁面（図７の左右の内壁面）から隙間を開けて固定される。この隙間は、筐体１１に外力が加わって変形したときに、挿抜溝１０５が座屈する前に、挿抜溝１０５の内壁面が横リブ１２３に当接する大きさに設計される。この隙間はなくてもよい。
【００５１】
縦リブ１２４は、挿抜溝１０５が延びる方向（アーム１３２の挿抜方向）に沿って形成されている。縦リブ１２４は、挿抜溝１０５の天部で、横リブ１２３と交差して横リブ１２３と共に配置されている。縦リブ１２４は、挿抜溝１０５の天部の中央に配置されて固定される。縦リブ１２４は、横リブ１２３と交差する部位において、横リブ１２３と同等又はそれ以上に突出して設けられている。
【００５２】
この縦リブ１２４により、アーム１３２を挿抜する際に、アーム１３２が横リブ１２３に引っ掛かって挿抜困難になることを防止できる。
【００５３】
また、縦リブ１２４の一端（挿抜穴１０６の奥方の端）には、挿抜穴１０６の奥方へ進むに従って突出量が小さくなる勾配１２４ａが設けられている。
【００５４】
この勾配１２４ａにより、縦リブ１２４が、挿抜穴１０６の途中から設けられている場合でも、縦リブ１２４の端にアーム１３２の先端部１３２ａが引っ掛かって、アーム１３２が引き出し難くなることを防止できる。
【００５５】
上記の縦リブ１２４および横リブ１２３は、図８に示すように、コネクタカバー１３が筐体１１の凹部１０８に嵌った状態で、アーム１３２との間にクリアランスが確保される高さに構成されている。
【００５６】
［実施の形態１の効果］
本実施の形態１の携帯端末装置によれば、筐体１１の挿抜溝１０５と外装カバー１２とに囲まれた空間によって挿抜穴１０６が構成される。よって、挿抜穴１０６を筐体１１の収容空間に貫通しない構成としても、奥方が入口より広くなる穴形状を比較的に容易に形成することができる。また、挿抜穴１０６が筐体１１の収容空間に貫通しない構成なので、筐体１１の収容空間を防水領域としても、挿抜穴１０６に防水構造を施さなくてもよい。
【００５７】
また、筐体１１の挿抜溝１０５は、そのままでは、筐体１１に外力がかかったときに、挿抜溝１０５の箇所に応力が集中して座屈しかねないなど、筐体１１の強度を低下させる。特に、挿抜溝１０５が筐体１１の長手方向に直交するように設けられ、且つ、比較的に高い剛性が得られる電池パックの収容部を外れた範囲に設けられている場合には、より筐体１１の強度を低下させてしまう。
【００５８】
しかしながら、本実施の形態１の携帯端末装置によれば、挿抜溝１０５の天面に横リブ１２３が配置されて、挿抜溝１０５の箇所が座屈しないように補強されている。
【００５９】
また、横リブ１２３があると、アーム１３２を挿抜する際に引っ掛かりが生じてしまうが、本実施の形態１の携帯端末装置によれば、横リブ１２３と交差させて縦リブ１２４が設けられている。よって、引っ掛かり無く、アーム１３２をスムーズに挿抜できる。
【００６０】
さらに、縦リブ１２４の奥端に設けられた勾配１２４ａにより、縦リブ１２４を入口側のみに設けた場合でも、アーム１３２の先端部１３２ａが縦リブ１２４の奥端に引っ掛かってしまうことを防止できる。
【００６１】
また、縦リブ１２４と横リブ１２３とは、アーム１３２との間にクリアランスが確保できる大きさに形成されている。よって、アーム１３２を少ない抵抗で挿抜することができる。また、アーム１３２と外装カバー１２との接触により、アーム１３２又は外装カバー１２が変形してしまうことを防止できる。
【００６２】
（実施の形態１の変形例）
図９は、本実施の形態１の変形例のコネクタカバーのアームを示す（Ａ）平面図および（Ｂ）側面図、図１０は、変形例のコネクタカバーのアームが挿抜穴に挿入された状態を示す断面図である。
【００６３】
上記実施の形態１の携帯端末装置は、コネクタカバー１３のアームとして、ピン型のアーム１３２を採用した構成を例にとって説明した。
【００６４】
しかしながら、図９の変形例に示すように、コネクタカバー１３のアームとしては、平型のアーム１３２Ａを採用してもよい。
【００６５】
このアーム１３２Ａは、挿抜穴１０６Ａからの抜け落ちを防ぐために、先端にかえしｋ（アーム１３２Ａの挿抜方向に対して横に張り出した部位）が設けられている。かえしｋは、アーム１３２Ａの両面に設けてもよいし、片面に設けてもよい。
【００６６】
変形例においては、挿抜溝１０５Ａおよび挿抜穴１０６Ａは、平型のアーム１３２Ａに合わせて、幅が狭く構成される。
【００６７】
このような構成であっても、挿抜溝１０５Ａの天部に横リブ１２３と縦リブ１２４とが設けられることで、挿抜溝１０５Ａを補強し、且つ、アーム１３２Ａの挿抜を容易にすることができる。アーム１３２Ａのかえしｋが、横リブ１２３に当らない向きに設けられている場合でも、アーム１３２Ａと横リブ１２３の角が当ることで、比較的に大きな抵抗が生じるが、縦リブ１２４があることで、これを阻止することができる。
【００６８】
なお、上記実施の形態１では、開口部およびカバー部材として、コネクタが露出される開口部１０１およびコネクタカバー１３を例に挙げて説明した。しかし、開口部およびカバー部材としては、メモリカード挿入口を露出する開口部およびこれに蓋をするカードスロットカバーを適用してもよい。
【００６９】
また、上記実施の形態１では、アームが通される挿抜穴を筐体１１の側面に設けた構成を例にとって説明したが、アームが通される挿抜穴は、筐体１１の上端面または下端面などその他の面に設けてもよい。
【００７０】
また、上記実施の形態１では、本発明を折畳み型の携帯端末装置に適用した例を説明したが、所謂スマートフォンなど一筐体型の携帯端末装置、二筐体がスライド自在に連結されたスライド型の携帯端末装置にも、本発明は同様に適用できる。
【００７１】
（実施の形態２）
＜実施の形態２の構成＞
続いて、本発明の実施の形態２について図面を参照して詳細に説明する。なお、実施の形態１、２において、同一の構成要素には同一の符号を付し、その説明は重複するので省略する。
【００７２】
図１１は、本発明の実施の形態２の携帯端末装置における電池周辺部を分離させた分解斜視図である。図１２は、本実施の形態２の電池蓋を内面側から見た斜視図である。図１１中、Ｘ軸方向は、電池蓋１０３の外面に垂直な筐体１１の前後方向、Ｙ１軸方向は、Ｘ軸方向と直交する筐体１１の上下方向、Ｙ２軸方向は、Ｘ軸方向とＹ１軸方向と直交する筐体１１の左右方向を示す。
【００７３】
実施の形態２の携帯端末装置は、筐体１１に電池パックＢが挿入される開口部１４１が設けられ、この開口部１４１が電池蓋１０３により塞がれるように構成されている。
【００７４】
筐体１１および電池蓋１０３は樹脂からなる成型部品であり、実施形態２では、電池蓋１０３が第１成型部品に相当し、筐体１１が第２成型部品に相当する。
【００７５】
筐体１１の開口部１４１の内側には、電池蓋１０３と係合する複数の係合爪１６０，１４３が設けられている。また、筐体１１の開口部１４１の一部には、電池蓋１０３の端に人の指を引っ掛けることを可能とする凹部１４２が形成されている。電池蓋１０３における凹部１４２に対向する部位が、電池蓋１０３を外す際に人の指が引っ掛けられる指掛け部に相当する。
【００７６】
複数の係合爪１６０，１４３は、電池収容部の内側面から電池収容部の内方（図１１のＹ１軸方向またはＹ２軸方向）へ突出するように形成されている。係合爪１６０，１４３の詳細は後述する。
【００７７】
図１２に示すように、電池蓋１０３の裏側（内面側）の周縁部には、筐体１１の係合爪１６０，１４３に対応する箇所に、係合爪１６０，１４３と係合する複数の係合片（突出片に相当）１８０，１４６が設けられている。
【００７８】
複数の係合片１８０，１４６は、電池蓋１０３の外面にほぼ垂直な方向（図１１のＸ軸方向）に広がる板片であり、係合爪１４３と対向する面に溝部ｄが形成されている。係合片１８０，１４６の詳細は後述する。
【００７９】
電池蓋１０３は、開口部１４１に対して、電池蓋１０３の外面にほぼ垂直な方向（図１１のＸ軸方向）に押し込まれて開口部１４１に嵌合する。また、電池蓋１０３は、開口部１４１に嵌合した状態から、凹部１４２の近傍の指掛け部を作用点、指掛け部の反対側の他端を支点として、回動するように引っ張られることで取り外すことができる。
【００８０】
電池蓋１０３の裏側には、開口部１４１の内周に沿うようにパッキンＰ２およびパッキンＰ２の固定枠１０３ａが設けられている。そして、電池蓋１０３が筐体１１の開口部１４１に嵌合したときに、パッキンＰ２が固定枠１０３ａと開口部１４１の内側面とに挟まれて、この部分が止水される。また、電池蓋１０３が筐体１１の開口部１４１に嵌合したとき、係合片１８０，１４６の溝部ｄには、開口部１４１の係合爪１６０，１４３が係合して、電池蓋１０３が容易に外れないようになっている。
【００８１】
＜溝部および係合爪の詳細＞
続いて、凹部１４２に近い係合爪１６０および係合片１８０の溝部ｄの詳細を説明する。
【００８２】
図１３は、筐体１１の係合爪１６０の部分を示す拡大斜視図である。図１４は、係合爪１６０の部分を筐体１１の背面に垂直な方向（図１１のＸ軸方向）に見た平面図である。図１５は、係合爪１６０の部分を係合爪１６０の突出方向（図１１のＹ２軸方向）から見た側面図である。
【００８３】
係合爪１６０は、峰が一方向に延びるように突出した形状を有している。峰が延びる方向は、電池蓋１０３の嵌合方向（図１１のＸ軸方向）とほぼ直交する方向である。係合爪１６０は、峰の一端にかけて突出量が徐々に小さくなる勾配１６１を有している。また、係合爪１６０には、Ｘ軸方向に沿って外方より内方に進むに従って突出量が徐々に大きくなる平面状の勾配１６２を有している。
【００８４】
係合爪１４３は、係合爪１６０とほぼ同様の形状であるが、例えば勾配１６１，１６２を無くすなど、異なる形状にしてもよい。
【００８５】
図１６は、電池蓋１０３の係合片１８０の部分を示す拡大斜視図である。図１７は、係合片１８０の部分を係合爪の突出方向（図１１のＹ２軸方向）に沿って見た側面図である。
【００８６】
係合片１８０は、先にも述べたように、電池蓋１０３の嵌合方向（Ｘ軸方向）に沿って広がる板片である。溝部ｄは、筐体１１の係合爪１６０に対向する面に設けられ、この面に沿って電池蓋１０３の嵌合方向（Ｘ軸方向）と直交する向きに延びる形状を有している。
【００８７】
溝部ｄは、図１６および図１７に示すように、一端部ｄｅが塞がれ、他端部ｄｆが開放されている。塞がれた側には、係合片１８０の板面が続いて存在する一方、開放された側では、係合片１８０の板面が断ち切れ、溝部ｄの端が係合片１８０自体の端となっている。
【００８８】
また、溝部ｄの内側部には、図１７に示すように、電池蓋１０３の嵌合方向（Ｘ軸方向）に沿って溝部ｄの深さが溝部ｄの中央に行くほど深くなる傾斜面１８１が形成されている。
【００８９】
また、係合片１８０における、電池蓋１０３の嵌合方向（Ｘ軸方向）の先端には、係合爪１６０と当たる側に傾斜面１８２が形成されている。
【００９０】
凹部１４２から遠くに設けられた係合片１４６の溝部ｄは、溝が延びる方向の一端と他端の両方が塞がれた形状である。なお、係合片１４６の溝部ｄの形態も、係合片１８０の溝部ｄと同様の形態としてもよい。
【００９１】
＜嵌合および取り外し動作＞
図１８は、係合爪と係合片とが嵌合した部位を示す横断面図である。図１９は、係合爪と係合片とが嵌合した状態を示す縦断面図である。
【００９２】
電池蓋１０３を開口部１４１に嵌合させる際には、作業者が、電池蓋１０３を嵌合方向（Ｘ軸方向）に押し込むことで、先ず、係合爪１６０の勾配１６２と係合片１８０の傾斜面１８２とが当接して、係合片１８０の先端が係合爪１６０を避ける方向に傾く。続いて、係合爪１６０が係合片１８０の縁を乗り越えて、溝部ｄに進入し、溝部ｄと係合する。
【００９３】
他の係合片１８０，１４６および他の係合爪１６０，１４３も、同様に係合する。これにより、電池蓋１０３が筐体１１の開口部１４１に嵌合して係止される。このとき、パッキンＰ２は、電池蓋１０３の一部と筐体１１の一部との間に押し込まれて、この部位を止水する。
【００９４】
図２０は、本実施の形態２の係合片１８０と係合爪１６０との係合が解かれる際の動作を示す説明図である。図２０は、係合部を図１９と同じ方向から見た模式図である。
【００９５】
電池蓋１０３を開口部１４１から外す際には、作業者が、筐体１１の凹部１４２に指を差し入れて電池蓋１０３の縁（指掛け部）をＸ軸方向に引く。すると、電池蓋１０３の指掛け部を作用点、電池蓋１０３の反対側を支点として、電池蓋１０３に回動させる方向の力が働く。そして、先ず、指掛け部の近傍の係合部、すなわち、係合爪１６０と係合片１８０との係合が解かれる。
【００９６】
このときの状態を時系列に表したのが、図２０（Ａ）〜（Ｄ）である。図２０（Ａ）〜（Ｃ）に示すように、電池蓋１０３の係合片１８０に引っ張る力がかかると、溝部ｄの開放側が溝部ｄの隙間を開くように変形する。これにより、係合片１８０の一方の端部（ｄｆ）が係合爪１６０から徐々に離れるように移動する。そして、図２０（Ｃ），（Ｄ）に示すように、溝部ｄの内側壁が係合爪１６０を超えることで、係合爪１６０と係合片１８０との係合が解かれる。
【００９７】
このように、電池蓋１０３を引く力によって、係合片１８０が徐々に変形して、係合片１８０と係合爪１６０との係合が徐々に解除されるので、係合爪１６０および溝部ｄの寸法ばらつきがあっても、係合を解く際に必要な荷重が安定し、荷重ばらつきが低減する。
【００９８】
また、図２０（Ａ）〜（Ｄ）にかけて、係合爪１６０は、溝部ｄの傾斜面１８１に沿って、より滑らかに摺動して、溝部ｄの内側壁を超えるので、荷重ばらつきをより低減できる。なお、この傾斜面１８１が無くても、係合爪１６０と係合片１８０との係合を解く際の荷重ばらつきは十分に低減できる。
【００９９】
指掛け部から遠い箇所の係合部については、梃子の原理により、作用力より大きな力が掛かるので、荷重ばらつきがあっても、比較的に容易に係合を解くことができる。
【０１００】
＜比較例＞
図２１は、比較例１として係合片の溝部の両端が塞がれた構成である場合の動作を示す説明図である。
【０１０１】
比較例１として、先ず、係合片１８０Ａの溝部ｄが両端が塞がれている構成について説明する。この構成では、図２１（Ａ）〜（Ｄ）に示すように、電池蓋１０３の係合片１８０に引っ張る力が掛かっても、溝部ｄの隙間は開くように容易に変形しない。そして、比較的に大きな力が掛かることで、係合爪１６０の一端に勾配１６１があっても、係合片１８０Ａの全体が係合爪１６０から離れるように動いて、一気に係合爪１６０と係合片１８０Ａとの係合が解除される。このような動きは、実験により確かめることができる。
【０１０２】
このような構成では、係合爪１６０および溝部ｄの寸法ばらつき等により、両者の係合が一気に解除される動作点が変化して、係合を解くのに必要な荷重が大きくばらつくことになる。例えば、パッキンＰ２を正常に嵌め込むために、一定以上の係合力が確保されるように設計された場合、係合力が大きい方にばらついたときに、電池蓋１０３が通常の力では外れなくなる恐れが生じる。
【０１０３】
図２２は、比較例２として係合片の溝部の両端が開放された構成である場合の動作を示す説明図である。
【０１０４】
比較例２は、係合片１８０Ｂの溝部ｄが両端とも開放されている構成である。この構成では、図２２（Ａ）〜（Ｄ）に示すように、電池蓋１０３の係合片１８０に引っ張り力が掛かったとき、溝部ｄの隙間が開くように変形して、係合片１８０Ｂの全体が係合爪１６０から離れるように動く。そして、そのまま、係合片１８０Ｂの溝部ｄの内側壁が係合爪１６０を越えて、係合爪１６０と係合片１８０Ｂとの係合が解ける。
【０１０５】
このような構成では、弱い力で電池蓋１０３が外れないように、係合片１８０Ｂの剛性を高めるか、係合爪１６０および溝部ｄの引っ掛かりを強くする必要が生じる。そして、例えば、パッキンＰ２を正常に嵌め込むため、一定以上の係合力を確保した場合には、係合片１８０Ｂと係合爪１６０との係合が一気に解除される構成となる。そのため、この比較例２の構成でも、比較例１と同様に、係合を解くのに必要な荷重が大きくばらつくこととなる。
【０１０６】
以上のように、この実施の形態２の携帯端末装置によれば、潤滑剤を係合部に塗布しなくても、電池蓋１０３を筐体１１から外す際の荷重が安定する。よって、所望の係合力を確保したうえで、電池蓋１０３のスムーズな嵌合および取り外しが可能となる。
【０１０７】
また、本実施の形態２の携帯端末装置によれば、特に、係合を解くのに大きな力を要する指掛け部の近傍において、荷重ばらつきを少なくできる構成を採用している。よって、電池蓋１０３が固くて取り外せないといった不都合を確実に排除できる。
【０１０８】
また、本実施の形態２の携帯端末装置によれば、係合爪１６０の一端側（溝部ｄの塞がれている側）に勾配１６１が設けられており、この勾配１６１により、係合片１８０が係合爪１６０から徐々に外れていく動作をよりスムーズにすることができる。
【０１０９】
以上、本発明の各実施の形態について説明した。
【０１１０】
なお、上記実施の形態２では、互いに嵌合および取り外し可能な第１成型部材および第２成型部材として、電池蓋および筐体を適用した構成を例にとって説明した。しかしながら、例えば、第１成型部材および第２成型部材として、２分割された筐体の一方と他方とを適用することもできる。また、電池蓋に限られず、さまざまな蓋を対象とすることもできる。
【０１１１】
また、上記実施の形態２では、筐体に係合爪が設けられ、電池蓋に係合爪が係合する溝部が設けられた構成を例にとって説明したが、電池蓋に係合爪を設け、筐体に係合爪が係合する溝部を設けてもよい。
【０１１２】
また、電池蓋の嵌合部が止水される構成は省いてもよい。
【０１１３】
また、上記実施の形態２では、電池蓋１０３が支点を中心に回動して外される構成を示したが、平行に持ち上げて外す構成を採用してもよい。
【０１１４】
また、溝部ｄの開放端と閉鎖端とは逆に配置してもよい。また、係合爪１６０は、勾配１６１を有さなくてもよく、この構成でも、係合を解くのに必要な荷重ばらつきを低減することができる。また、係合爪１６０の勾配１６１は逆側に設けてもよい。
【０１１５】
また、上記実施の形態２では、本発明を折畳み型の携帯端末装置に適用した例を説明したが、所謂スマートフォンなど一筐体型の携帯端末装置、二筐体がスライド自在に連結されたスライド型の携帯端末装置にも、本発明は同様に適用できる。
【産業上の利用可能性】
【０１１６】
本発明は、携帯電話機、携帯情報端末、携帯音楽プレーヤ等の携帯端末装置に適用できる。
【符号の説明】
【０１１７】
１１  筐体（第２成型部材）
１２  外装カバー
１３  コネクタカバー
１０１  開口部
１０５，１０５Ａ  挿抜溝
１０６，１０６Ａ  挿抜穴
１２３  横リブ
１２４  縦リブ
１２４ａ  勾配
１３１  蓋
１３２，１３２Ａ  アーム
１３２ａ  先端部
Ｐ  パッキン
ｋ  かえし
Ｗ  電池パックが収容される範囲
１０３  電池蓋（第１成型部材）
１４１  開口部
１４２  凹部
１６０  係合爪
１６１  勾配
１８０  係合片（突出片）
Ｐ２  パッキン
ｄ  溝部
【図１】
2014068332.tif 000003
【図２】
2014068332.tif 000004
【図３】
2014068332.tif 000005
【図４】
2014068332.tif 000006
【図５】
2014068332.tif 000007
【図６】
2014068332.tif 000008
【図７】
2014068332.tif 000009
【図８】
2014068332.tif 000010
【図９】
2014068332.tif 000011
【図１０】
2014068332.tif 000012
【図１１】
2014068332.tif 000013
【図１２】
2014068332.tif 000014
【図１３】
2014068332.tif 000015
【図１４】
2014068332.tif 000016
【図１５】
2014068332.tif 000017
【図１６】
2014068332.tif 000018
【図１７】
2014068332.tif 000019
【図１８】
2014068332.tif 000020
【図１９】
2014068332.tif 000021
【図２０】
2014068332.tif 000022
【図２１】
2014068332.tif 000023
【図２２】
2014068332.tif 000024